(57)【特許請求の範囲】
【請求項１】
端子収納室（２２）を有するコネクタハウジング本体（２１）と、上記端子収納室（２２）の内周面と接圧される防水栓（４０）の軸孔に通した電線（３９）を接続し、かつ端子収納室（２２）内に挿入される端子（３８）と、上記端子（３８）の挿入側開口部に嵌入され、かつ上記電線（３９）を引き出す略Ｕ字形の電線引出溝（２８）を形成してなる防水栓ストッパー（２４）をヒンジ（２７）を介してコネクタハウジング本体（２１）に連結保持せしめてなる防水コネクタにおいて、上記コネクタハウジング本体（２１）の端子挿入側端部外側面に被着されるキャップ（２５）を設け、該キャップ（２５）には、上記電線を挿通する略Ｕ字形の電線ガイド溝と、該キャップ（２５）をコネクタハウジング本体（２１）に被着したとき、上記防水栓（４０）の上記防水栓ストッパー（２４）による押圧力を受けない部分を、コネクタハウジング本体の内部方向へ押圧せしめるための防水栓押圧突起（３５）を設けたことを特徴とする防水コネクタ。
【請求項２】
キャップ（２５）の外側面に、該キャップ（２５）をコネクタハウジング本体（２１）の端部外側に被着したとき、該コネクタハウジング本体（２１）の外側面で突設されている上記ヒンジ（２７）を、損傷等から保護せしめるための保護壁（３７）を突設せしめたことを特徴とする請求項１に記載の防水コネクタ。
【請求項３】
上記防水栓ストッパー（２４）には、該防水栓ストッパー（２４）を上記端子収納室（２２）内に嵌入したときに該防水栓ストッパー（２４）の外向きとなる端面に、上記電線引出溝（２８）を挟んで、対設されるそれぞれの有底係止孔（３０）を形成し、また上記キャップ（２５）には、上記双方の有底係止孔（３０）内に嵌合係止されるそれぞれの開き防止突起（３４）を設けたことを特徴とする請求項１又は請求項２に記載の防水コネクタ。
【発明の詳細な説明】
【０００１】
【発明の属する技術分野】
本発明は、例えば車体に配設されるワイヤハーネスを接続するに用いられる防水コネクタであって、特に端子に接続された電線とコネクタハウジングとの間に介在せしめた防水栓による防水の確実性を高めると共に防水コネクタに設けられている薄肉ヒンジの損傷を防止して耐久性を高めることができる構成となした防水コネクタ構造に関するものである。
【０００２】
【従来の技術】
防水コネクタの従来例として、例えば実開昭６４−１２３８４号で示されるコネクタハウジング構造が知られている。このコネクタハウジング構造は、図８、図９で示すように、雌型ハウジング１及び雄型ハウジング２には、それぞれに端子収納室３及び４が設けられており、それら端子収納室３及び４内には、電線５及び６を接続せしめ、さらにその電線５及び６の周囲に防水栓７及び８を嵌合せしめてなる端子９及び１０を挿入する。
【０００３】
次いでそれら端子９及び１０を各端子収納室３及び４内へ挿入した後、雌型ハウジング１及び雄型ハウジング２の端子挿入側開口部にヒンジ１１及び１２を介して連結されており、かつ略Ｕ字形の電線引出し溝１３及び１４を有しているホルダ１５及び１６を、それら電線引出し溝１３及び１４で、それら電線５及び６を避けるようにして、雌型ハウジング１及び雄型ハウジング２の端子収納室３及び４の端子挿入側開口部を閉塞させ、このホルダ１５及び１６により防水栓７及び８を端子収納室３及び４内部へ押し込んで雌型ハウジング１及び雄型ハウジング２内の防水性を維持せしめている。
【０００４】
【発明が解決しようとする課題】
ところが、上記防水栓を押圧するホルダ１５及び１６に形成されている電線引出溝１３，１４の形状は、必然的にも略Ｕ字形となっていることから、そのホルダ１５及び１６による防水栓７及び８の押圧時において、電線５，６を挿通している防水栓７，８端面の全周囲を押圧することができず、このために、例えばハウジング１，２に組付けられている電線５，６が、図９において上方向へ極端に折り曲げられたり、無理に引張られることにより、その防水栓がハウジング外側方向へ変形し、これが原因でハウジング１及び２と電線５及び６との間の水密性が低下してしまう。
【０００５】
つまり従来の防水栓にあっては、ホルダーにより押圧力を受けていない個所（部分）での変形が生じやすく、これによって防水精度が低いという不具合があった。また上記公知のコネクタハウジング構造にあっては、ハウジングとホルダを連結しているヒンジが、ハウジングの外周面より突設されているために、該ヒンジが他物と接触して破損を生じやすいといった不具合もあった。
【０００６】
本発明はかかる不具合に着目してなされたもので、コネクタハウジングの内周面と、コネクタハウジング内に挿通された電線外周面との間に介在されている防水栓のコネクタハウジング外側端面略全域をハウジング内部方向へ押圧せしめることができる構成となして、電線に引張り力又は曲げ力等が作用しても上記防水栓に変形を生じることがないようにし、防止性能に優れた防水コネクタの提供を第１の目的とする。
【０００７】
また本発明では、コネクタハウジングの外側に突設された防水栓ストッパー連結用ヒンジの損傷を防止する保護壁を設けて、そのヒンジの損傷又は折損を防止して耐久性を高めることを第２の目的とする。
【０００８】
【課題を解決するための手段】
上記第１の目的を達成するために本発明の請求項１では、端子収納室を有するコネクタハウジング本体と、上記端子収納室の内周面と接圧される防水栓の軸孔に通した電線を接続し、かつ端子収納室内に挿入される端子と、上記端子の挿入側開口部に嵌入され、かつ上記電線を引き出す略Ｕ字形の電線引出溝を形成してなる防水栓ストッパーをヒンジを介してコネクタハウジング本体に連結保持せしめてなる防水コネクタにおいて、上記コネクタハウジング本体の端子挿入側端部外側面に被着されるキャップを設け、該キャップには、上記電線を挿通する略Ｕ字形の電線ガイド溝と、該キャップをコネクタハウジング本体に被着したとき、上記防水栓の上記防水栓ストッパーによる押圧力を受けない部分を、コネクタハウジング本体の内部方向へ押圧せしめるための防水栓押圧突起を設けた防水コネクタであることを特徴としている。
【０００９】
また上記第２の目的を達成するために、請求項２では、請求項１に加えてキャップの外側面に、該キャップをコネクタハウジング本体の端部外側に被着したとき、該コネクタハウジング本体の外側面で突設されている上記ヒンジを、損傷等から保護せしめるための保護壁を突設せしめている防水コネクタであることを特徴としている。
【００１０】
また上記第１の目的を達成するために、請求項３では、請求項１又は請求項２に加えて上記防水栓ストッパーには、該防水栓ストッパーを上記端子収納室内に嵌入したときに該防水栓ストッパーの外向きとなる端面に、上記電線引出溝を挟んで、対設されるそれぞれの有底係止孔を形成し、また上記キャップには、上記双方の有底係止孔内に嵌合係止されるそれぞれの開き防止突起を設けた防水コネクタであることを特徴としている。
【００１１】
【発明の実施の形態】
以下に本発明を図面に示す実施の形態に基いて詳細に説明する。
【００１２】
図１乃至図５において、２１は内部に端子収納室２２を有するコネクタハウジング本体であって、上記端子収納室２２の内部には、係止ランス２３が設けられており、またその端子収納室２２の端子挿入側開口部には、後述する防水栓ストッパー２４及びキャップ２５を係止せしめるための係止孔２６が形成されている。
【００１３】
上記防水栓ストッパー２４は、上記コネクタハウジング本体２１に対して、薄肉ヒンジ２７を介して端子収納室２２の端子挿入側開口部近傍に連結保持されており、その防水栓ストッパー２４の正面形状は図２で明らかなように、略Ｕ字形となっている電線引出溝２８を有する逆凹形状であって、該防水栓ストッパー２４の左右両側には、上記の係止孔２６に係止し得る双方の係止爪２９が突設されており、さらにその防水栓ストッパー２４の、その防水栓ストッパー２４を端子収納室２２内に嵌入したときに、外向きとなる端面には、上記電線引出溝２８を挟んで対設される一対の有底係止孔３０が形成されている。
【００１４】
上記のキャップ２５は、コネクタハウジング本体２１の端子挿入口部の外側面に嵌合される上下左右の側壁３１と、上記端子挿入口部の口面を閉塞する端面３２を有する冠形状であって、その端面３２から下側壁３１にかけて後述する電線を避ける略Ｕ字形状の切欠き３３が設けられている。
【００１５】
このキャップ２５の端面３２内側には、このキャップ２５をコネクタハウジング本体２１に被着したときに、上記防水栓ストッパー２４に設けられているそれぞれの有底係止孔３０内に嵌入されるそれぞれの開き防止突起３４が、切欠き３３を挟んで対設されている。さらにキャップ２５の端面３２内側であって、その左右方向中央部には、上記防水栓ストッパー２４に設けられている電線引出溝２８の開口端部を塞ぐようにして位置される防水栓押圧突起３５が形成されている。
【００１６】
キャップ２５の左右両側壁３１には、上記コネクタハウジング本体２１に設けられている係止孔２６に係止し得る係止爪３６が形成されており、さらにキャップ２５を形成している下側壁３１の切欠き３３両側辺縁近傍には、その下側壁３１の外側面より直交方向へ起立するそれぞれの保護壁３７を形成している。
【００１７】
３８は上記の端子収納室２２内に挿着される端子であって、この端子３８には電線３９が接続されており、さらにこの電線の外側には防水栓４０が嵌合されている。
【００１８】
以上が本実施形態の防水コネクタ構成部材の構成であるが、次に上記構成部材による防水コネクタの組付けについて述べると、図１で示すように先ずは端子３８に電線３９を接続し、さらにその電線３９に防水栓４０を嵌入せしめる。次いでその端子３８を防水栓４０と共にコネクタハウジング本体２１の端子収納室２２内に挿入し、係止ランス２３により端子３８を引き抜き不能に係止せしめる。
【００１９】
次に防水栓ストッパー２４を薄肉ヒンジ２７を支点として約１８０度回動させて、コネクタハウジング本体２１の端子収納室２２内に収められている防水栓４０の外側面を、その防水栓ストッパー２４により押圧せしめると共に該防水栓ストッパー２４の左右両側に設けられている係止爪２９をコネクタハウジング本体２１に設けられている係止孔２６に係止させて、該防水栓ストッパー２４の内面を防水栓４０に圧接維持せしめる。
【００２０】
次にそのコネクタハウジング本体２１の電線３９引き出し側端部外側に、キャップ２５を被せ、そのキャップ２５に設けられている一対の係止爪３６を、コネクタハウジング２１に設けられている係止孔２６に、上記防水栓ストッパー２４の係止爪２９と共に係止させ、さらにはキャップ２５に設けている左右一対の開き防止突起３４を、防水栓ストッパー２４に設けられている左右双方の有底係止孔３０内に嵌入係合させて、キャップ２５をコネクタハウジング本体２１へ被着し、コネクタハウジング本体２１への端子３８及びキャップ２５の組付けを終了する。
【００２１】
このようにして組付けられた防水コネクタにあっては、コネクタハウジング本体２１の内部に端子３８と共に嵌入した防水栓４０の外側端面４０’（図面における右側端面）は、防水栓ストッパー２４により馬蹄形状に押圧されると共に、上記防水栓ストッパー２４に形成されている電線引出溝２８部によって押圧を受けることができない部分は、キャップ２５の内部に設けられている防水栓押圧突起３５による押圧作用（図７参照）で、防水栓４０の外側端面略全面が、上記防水栓ストッパー２４と、防水栓押圧突起３５との共用作用で受圧力を受けることになる。
【００２２】
従ってコネクタハウジング本体２１の内周面と、端子３８に接続されている電線３９の外周面との間に密嵌されている防水栓４０の外側端面４０’の略全面が防水栓ストッパー２４とキャップ２５に設けられている防水栓押圧突起３５による内方向への押圧力を受けるために、コネクタハウジング本体２１の内部位置される防水栓４０は、例えば電線３９に極端な折り曲げが生じたり、あるいはコネクタハウジング内部の気圧が上昇したとしても、その防水栓の変形が未然に防止され、これにより、コネクタハウジング本体２１内部の水密性、機密性が高レベルで維持できる。
【００２３】
またコネクタハウジング本体に被着した正面略凹形状のキャップ２５は、該キャップ２５内側に設けた左右一対の開き防止突起３４と防水栓ストッパー２４に設けている左右一対の有底係止孔３０との嵌合係止作用によりコネクタハウジング本体２１に被着したキャップ２５が、そのキャップ２５に設けている切欠き３３を境に拡開変形されることがなく、これによってキャップ２５としての上記防水栓の変形防止作用が維持できる。
【００２４】
さらにコネクタハウジング本体２１に上記キャップ２５を被着することにより、該キャップ２５に設けている左右両側の保護壁３７が、コネクタハウジング本体２１の外側で突出位置されている薄肉ヒンジ２７の外側に位置されて（図７参照）、左右両保護壁３７により薄肉ヒンジ２７が、他物と接触し難いように位置されることから、その薄肉ヒンジ２７の損傷防止が有効に維持されている。
【００２５】
【発明の効果】
以上のように本発明の防水コネクタ構造によれば、コネクタハウジング本体内部に嵌入されている防水栓の変形防止が確実であって、気密性、水密性に優れた防止コネクタが提供できる。さらにはコネクタハウジング本体と防水栓ストッパーとを連結している薄肉ヒンジの損傷、折損等が回避でき、耐久性を有する防水コネクタの提供も可能となる。
【図面の簡単な説明】
【図１】本発明よりなる防水コネクタの実施形態を示した各部材の構成説明図。
【図２】本発明よりなる防水コネクタの実施形態を示したコネクタハウジング本体と防水栓ストッパーとの関係を示した背面図。
【図３】図２の下面図。
【図４】本発明よりなる防水コネクタの実施形態を示したキャップの正面図。
【図５】図４におけるＶ−Ｖ線断面図。
【図６】本発明よりなる防水コネクタの実施形態を示した組立後の断面図。
【図７】図６の VII−VII 線断面図。
【図８】従来の防水コネクタの斜視図。
【図９】図８の断面図。
【符号の説明】
２１…コネクタハウジング本体
２２…端子収納室
２３…係止ランス
２４…防水栓ストッパー
２５…キャップ
２６…係止孔
２７…薄肉ヒンジ
２８…電線引出溝
２９…係止爪
３０…有底係止孔
３１…側壁
３２…端面
３３…切欠き
３４…開き防止突起
３５…防水栓押圧突起
３６…係止爪
３７…保護壁
３８…端子
３９…電線
４０…防止栓
【図１】
0003921304.tif 000002
【図２】
0003921304.tif 000003
【図３】
0003921304.tif 000004
【図４】
0003921304.tif 000005
【図５】
0003921304.tif 000006
【図６】
0003921304.tif 000007
【図７】
0003921304.tif 000008
【図８】
0003921304.tif 000009
【図９】
0003921304.tif 000010